【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
ａ．飽和脂肪族トリオールと、飽和脂肪族ジオールとを含むポリオールであって、該ポリオール全モル数に対する該飽和脂肪族トリオールモル数のモル比が、約０．２から約０．８の範囲である、ポリオール並びに、
ｂ．少なくとも一つの飽和直鎖脂肪族ジアシド又はその誘導体であって、該ジアシドに対する該ポリオールのモル比が、約０．８５から約１．５の範囲である、飽和直鎖脂肪族ジアシド又はその誘導体、
を含む架橋重縮合生成物。
【請求項２】
前記ポリオールがグリセロール及びエチレングリコールを含むか、
前記少なくとも一つの飽和直鎖脂肪族ジアシドがセバシン酸を含むか、
前記ジアシド又はその誘導体が、少なくとも一つのジエステルを有する飽和直鎖脂肪族ジアシドを含み、前記飽和直鎖脂肪族ジアシドのジエステルに対するポリオールのモル比が約０．９から約１．２の範囲であるか、又は、
前記ジアシド又はその誘導体が、少なくとも一つのハロゲン化アシルを有する飽和直鎖脂肪族ジアシドを含み、前記飽和直鎖脂肪族ジアシドのハロゲン化アシルに対するポリオールのモル比が約０．９から約１．２の範囲である、請求項１に記載の架橋重縮合生成物。
【請求項３】
規則的に結合した部分を含むか、又は
不規則的に結合した部分を含み、該不規則的に結合した部分において、前記ポリオール全モル数に対する前記飽和脂肪族トリオールモル数の前記モル比が、約０．２０から約０．６５の範囲である、請求項１に記載の架橋重縮合生成物。
【請求項４】
グリセロールと、エチレングリコールとを含むポリオールであって、該ポリオール全モル数に対する該グリセロールモル数のモル比が約 ０．２から約０．８の範囲である、ポリオール並びに、
セバシン酸であって、該セバシン酸に対する該ポリオールのモル比が約０．９から約１．２の範囲である、セバシン酸、
を含む架橋重縮合生成物。
【請求項５】
グリセロールと、１，３プロパンジオールとを含むポリオールであって、該ポリオール全モル数に対する該グリセロールモル数のモル比が約０．２から約０．８の範囲である、ポリオール並びに、
セバシン酸であって、該セバシン酸に対する該ポリオールのモル比が約０．９から約１．２の範囲である、セバシン酸、
を含む架橋重縮合生成物。
【請求項６】
グリセロールと、１，４ブタンジオールとを含むポリオールであって、該ポリオール全モル数に対する該グリセロールモル数のモル比が約０．２から約０．８の範囲である、ポリオール並びに、
セバシン酸であって、該セバシン酸に対する該ポリオールのモル比が約０．９から約１．２の範囲である、セバシン酸、
を含む架橋重縮合生成物。
【請求項７】
残存酸が、生成物の単位グラムにつき約１．０未満の酸ミリ当量の範囲を有するか、
細胞非毒性であるか、又は、
形状記憶挙動を示す、請求項１から請求項６の何れか１項に記載の架橋重縮合生成物。
【請求項８】
請求項１から請求項６の何れか１項に記載の架橋重縮合生成物を含む多孔性ポリマー。
【請求項９】
第一及び第二の二価飽和脂肪族部分、
二価飽和脂肪族の第二級アルコール部分、
三価飽和脂肪族部分並びに、
該部間のエステル結合
を含む骨格を有するポリマー組成物であって、
モル比βが、次の式によって表わされ、
【数１】
2010505029.tif 000001
（式中、Ｍ1は第一の二価飽和脂肪族部分のモル数を表わし、Ｍ2は二価飽和脂肪族の第二級アルコール部分のモル数を表わし、Ｍ3は三価飽和脂肪族部分のモル数を表わし、及びＭ4は第二の二価飽和脂肪族部分のモル数を表わす。）、
並びに次の式を満たす、
【数２】
2010505029.tif 000002
ポリマー組成物。
【請求項１０】
前記βが０．８７から１．３５の範囲であるか、又は
前記βが０．９から１．２の範囲である、請求項９に記載のポリマー組成物。
【請求項１１】
モル比が、次の式によって表わされ、
【数３】
2010505029.tif 000003
並びに次の式を満たすか、
【数４】
2010505029.tif 000004
モル比が、次の式によって表わされ、
【数５】
2010505029.tif 000005
並びに次の式を満たし、
【数６】
2010505029.tif 000006
さらに、前記部分が不規則的に結合し、及び該φが０．２０から０．６５の範囲であるか、又は、
モル比が、次の式によって表わされ、
【数７】
2010505029.tif 000007
並びに次の式を満たし、
【数８】
2010505029.tif 000008
該φが０．２０から０．５０の範囲である、請求項９に記載のポリマー組成物。
【請求項１２】
前記部分が規則的に結合するか、
前記部分が規則的に結合して前記ポリマー組成物が少なくとも部分的に相分離するか、又は、
モル比φが、次の式によって表わされ、
【数９】
2010505029.tif 000009
並びに次の式を満たす、
【数１０】
2010505029.tif 000010
請求項９に記載のポリマー組成物。
【請求項１３】
前記第一の二価飽和脂肪族部分が、前記ポリマー組成物中、約４から約３０ｍｏｌ％を含むか、
前記二価飽和脂肪族の第二級アルコール部分及び前記三価飽和脂肪族部分が、前記ポリマー組成物中、約４から約３０ｍｏｌ％を含むか、
前記第二の二価飽和脂肪族部分が、前記ポリマー組成物中、約２０から約３０ｍｏｌ％を含むか、
前記エステル結合が、前記ポリマー組成物中、約３５から約５５ｍｏｌ％を含むか、
前記ポリマー組成物が架橋するか、
残存酸が、前記ポリマー組成物の単位グラムにつき１．０未満の酸ミリ当量の範囲を有するか、
細胞非毒性であるか、
形状記憶挙動を示すか、
前記ポリマー組成物が、約２０℃の温度まで、約１００℃の温度から２℃／ｍｉｎ．の速度で冷却して結晶化するか、
前記ポリマー組成物が、２０℃から２５℃の温度で少なくとも半結晶構造を有し、約３０℃から約１００℃の温度で非晶構造を有するか、
前記第一の二価飽和脂肪族部分が次の式で表わされるか、
【化１】
2010505029.tif 000011
（式中、ａは２から１０の整数である。）
前記二価飽和脂肪族の第二級アルコール部分が次の式で表わされるか、
【化２】
2010505029.tif 000012
（式中、ｂとｃは、独立に、１から１０の整数である。）
前記三価飽和脂肪族部分が次の式で表わされるか、又は、
【化３】
2010505029.tif 000013
（式中、ｄとｅは、独立に、１から１０の整数である。）
第二の二価飽和脂肪族部分が次の式で表わされる、
【化４】
2010505029.tif 000014
（式中、ｆは、２から１０の整数である。）
請求項９に記載のポリマー組成物。
【請求項１４】
エステル結合ユニットＡ、Ｂ及びＣから実質的になる前記ポリマー組成物であって、該エステル結合ユニットが次の式である、請求項９に記載のポリマー組成物。
【化５】
2010505029.tif 000015
（式中、Ｒ1は第一の二価飽和脂肪族部分を表わし、Ｒ2は二価飽和脂肪族の第二級アルコール部分を表わし、Ｒ3は三価飽和脂肪族部分を表わし、及びＲ4は第二の二価飽和脂肪族部分を表わす。）
【請求項１５】
前記Ｒ1が最大で１０個の炭素原子を有し、前記Ｒ2が最大で４個の炭素原子を有し、前記Ｒ3が最大で４個の炭素原子を有し、及び前記Ｒ4が最大で１０個の炭素原子を有するか、
前記Ｒ1が２個の炭素原子を含むか、
前記Ｒ1が３個の炭素原子を含むか、
前記Ｒ1が４個の炭素原子を含むか、
前記Ｒ2が３個の炭素原子を含むか、
前記Ｒ3が３個の炭素原子を含むか、
前記Ｒ4が８個の炭素原子を含むか、
前記ポリマー組成物がウレタン及び尿素結合をさらに含み、さらに該ウレタン及び該尿素結合が該ポリマー組成物中、１５モル％未満で含まれ、非重合の空隙が前記ポリマー組成物内に画定されるか、又は、
前記ポリマー組成物が該ウレタン及び該尿素結合をさらに含み、さらに該ウレタン及び該尿素結合が該ポリマー組成物中、１５モル％未満で含まれ、該非重合の空隙が前記ポリマー組成物内に画定され、該ウレタン結合が次の式から本質的に構成され、
【化６】
2010505029.tif 000016
（式中、Ｒ5は二価の芳香族又は脂肪族部分である。）
及び該尿素結合が次の式から本質的に構成される、請求項１４に記載のポリマー組成物。
【化７】
2010505029.tif 000017
（式中、Ｒ6とＲ7は、それぞれ独立に、二価の芳香族又は脂肪族部分である。）